(57)【特許請求の範囲】
【請求項１】
外周を形成する少なくとも一部が直線状部分をなし、裏面から表面に貫通するように設けられた取付孔をフレネルレンズの同心円状のパターン内に有する拡大レンズと、
筆記具挿入孔を有し、前記拡大レンズの前記取付孔の周縁に固定された弾性リングと、
を備えてなり、
前記取付孔は、前記直線状部分から直交方向に、筆記具を前記弾性リングに取り付けて筆記するときに前記直線状部分を紙面に当接させられる所定距離離れて設けられていることを特徴とする筆記具用ルーペ。
【請求項２】
請求項１に記載の筆記具用ルーペにおいて、
前記拡大レンズは、前記裏面の外周及び表面の外周が略長方形であることを特徴とする筆記具用ルーペ。
【請求項３】
請求項１又は２に記載の筆記具用ルーペにおいて、
前記フレネルレンズの同心円状のパターンの中心は、前記直線状部分から前記取付孔への仮想線の延長上の範囲に有ることを特徴とする筆記具用ルーペ。
【請求項４】
請求項１〜３のいずれか１項に記載の筆記具用ルーペにおいて、
前記拡大レンズは、前記裏面の外周及び／又は表面の外周に沿って度数に応じた着色がなされている、又は前記弾性リングが度数に応じて着色がなされていることを特徴とする筆記具用ルーペ。
【請求項５】
請求項１〜４のいずれか１項に記載の筆記具用ルーペにおいて、
前記弾性リングは、リング状のリング本体と、該リング本体から内側に延長され、放射状に切れ込みが複数設けられた内側延長部を有していることを特徴とする筆記具用ルーペ。
【請求項６】
請求項１〜４のいずれか１項に記載の筆記具用ルーペにおいて、
前記弾性リングは、前記筆記具挿入孔が傾斜していることを特徴とする筆記具用ルーペ。
【請求項７】
請求項１〜４のいずれか１項に記載の筆記具用ルーペにおいて、
前記弾性リングは、リング状のリング本体が裏面と表面の両方に、互いに中心をずらして設けられていることを特徴とする筆記具用ルーペ。
【発明の詳細な説明】
【技術分野】
【０００１】
本発明は、筆記具に取り付けて用いる筆記具用ルーペに関する。
【背景技術】
【０００２】
従来より、紙面の文字を拡大して見ながら筆記できるように、筆記具に取り付けて用いる筆記具用ルーペが知られている。例えば、特許文献１に記載の筆記具用ルーペは、端部に凹所が形成された拡大レンズ（特許文献１ではルーペと称している）、その凹所に設けられ、凹所に挿通された筆記具に着脱可能に取り付けられて拡大レンズを保持するホルダ、から成るものである。特許文献２に記載の筆記具用ルーペは、プラスチックの拡大レンズに筆起具を差し込む穴をあけ、その穴に筆記具を差したとき固定し易く、かつ、ある程度の太さが調整できるよう、穴の回りにゴムを付けたものである。特許文献３に記載の筆記具用ルーペは、拡大レンズ、それの端部に接合した結合板、シリコンゴムで覆った柔軟な針金、から成るものであり、針金を筆記具の周りに一回転させて両端を結合板に埋め込み定着させることで筆記具用ルーペを筆記具に取り付けるものである。特許文献４に記載の筆記具用ルーペは、筆記具を通す円柱形のリングの縦方向にスリットを設け、リングの側面にはアームを取り付け、アームの両端に回転軸を有し、回転軸に拡大レンズを連設させたものである。
【先行技術文献】
【特許文献】
【０００３】
【特許文献１】実開平７−７９９１号公報
【特許文献２】特開平９−１１６８７号公報
【特許文献３】特開２００６−２２７４６１号公報
【特許文献４】特開２０１０−２１４９３５号公報
【発明の概要】
【発明が解決しようとする課題】
【０００４】
しかしながら、筆記具用ルーペを通して観察される文字の大きさは、紙面から筆記具用ルーペまでの位置に従って大きく変わり、特許文献１〜４のものを含め従来の筆記具用ルーペでは、文字の筆記の動きにつれて観察される文字列が大きくなったり小さくなったりして、使用者の目の負担が大きくなり易く、また、筆記する文字の形も的確には確認し難いものであった。
【０００５】
本発明は、係る事由に鑑みてなされたものであり、その目的は、文字の筆記の際に、筆記具に取り付けた筆記具用ルーペを通して観察される文字列の大きさが余り変化しないようにすることが容易にできる筆記具用ルーペを提供することにある。
【課題を解決するための手段】
【０００６】
上記目的を達成するために、請求項１に記載の筆記具用ルーペは、外周を形成する少なくとも一部が直線状部分をなし、裏面から表面に貫通するように設けられた取付孔をフレネルレンズの同心円状のパターン内に有する拡大レンズと、筆記具挿入孔を有し、前記拡大レンズの前記取付孔の周縁に固定された弾性リングと、を備えてなり、前記取付孔は、前記直線状部分から直交方向に、筆記具を前記弾性リングに取り付けて筆記するときに前記直線状部分を紙面に当接させられる所定距離離れて設けられていることを特徴とする。
【０００７】
請求項２に記載の筆記具用ルーペは、請求項１に記載の筆記具用ルーペにおいて、前記拡大レンズは、前記裏面の外周及び表面の外周が略長方形であることを特徴とする。
【０００８】
請求項３に記載の筆記具用ルーペは、請求項１又は２に記載の筆記具用ルーペにおいて、前記フレネルレンズの同心円状のパターンの中心は、前記直線状部分から前記取付孔への仮想線の延長上の範囲に有ることを特徴とする。
【０００９】
請求項４に記載の筆記具用ルーペは、請求項１〜３のいずれか１項に記載の筆記具用ルーペにおいて、前記拡大レンズは、前記裏面の外周及び／又は表面の外周に沿って度数に応じた着色がなされている、又は前記弾性リングが度数に応じて着色がなされていることを特徴とする。
【００１０】
請求項５に記載の筆記具用ルーペは、請求項１〜４のいずれか１項に記載の筆記具用ルーペにおいて、前記弾性リングは、リング状のリング本体と、該リング本体から内側に延長され、放射状に切れ込みが複数設けられた内側延長部を有していることを特徴とする。
【００１１】
請求項６に記載の筆記具用ルーペは、請求項１〜４のいずれか１項に記載の筆記具用ルーペにおいて、前記弾性リングは、前記筆記具挿入孔が傾斜していることを特徴とする。
【００１２】
請求項７に記載の筆記具用ルーペは、請求項１〜４のいずれか１項に記載の筆記具用ルーペにおいて、前記弾性リングは、リング状のリング本体が裏面と表面の両方に、互いに中心をずらして設けられていることを特徴とする。
【発明の効果】
【００１３】
本発明の筆記具用ルーペによれば、拡大レンズが直線状部分を有し、取付孔が直線状部分から直交方向に所定距離離れて形成されているので、筆記具を取り付けて筆記をするときに直線状部分を紙面に安定して当接させることができ、そして、紙面から筆記具用ルーペまでの位置が余り変化せず、筆記具用ルーペを通して観察される文字列の大きさが余り変化しないようにすることが容易にでき、その結果、使用者の目の負担が少なくなり、また、筆記する文字の形も確認し易く奇麗に筆記することが可能になる。
【図面の簡単な説明】
【００１４】
【図１】本発明の実施形態に係る筆記具用ルーペ１の使用状態の側面図である。
【図２】同上の筆記具用ルーペ１を示す平面図であって、（ａ）は裏面、（ｂ）は表面を示している。
【図３】同上の筆記具用ルーペ１の拡大レンズ２の変形例の裏面を示す平面図である。
【図４】同上の筆記具用ルーペ１の弾性リング３近傍の３つの例を示す拡大断面図である。
【図５】同上の筆記具用ルーペ１の拡大レンズ２（フレネルレンズ）の同心円状のパターンの中心Ｃと取付孔２０との位置関係の２つの例を説明するための表面を示す平面図である。
【図６】同上の筆記具用ルーペ１の弾性リング３の２つの変形例を示す拡大平面図である。
【図７】図６の２つの変形例を示す拡大断面図である。
【図８】同上の筆記具用ルーペ１の弾性リング３の別の３つの変形例を示す拡大断面図である。
【図９】同上の筆記具用ルーペ１の弾性リング３の更に別の変形例を示すものであって、（ａ）は拡大平面図、（ｂ）は拡大断面図である。
【発明を実施するための形態】
【００１５】
以下、本発明を実施するための好ましい形態を図面を参照しながら説明する。本発明の実施形態に係る筆記具用ルーペ１は、図１に示すように、筆記具Ｐに取り付けて用いるもので、拡大レンズ２の裏面２１を紙面Ｓに向け、紙面Ｓ上に筆記する文字列を表面２２側から拡大レンズ２を通して観察するものである。図１において、筆記具Ｐの筆先からの矢印付き破線の先は使用者の目の位置になる。この筆記具用ルーペ１は、大略薄肉平板状をなしており、図２に示すように、裏面２１の外周２１ａを形成する少なくとも一部が直線状をなし、その直線状部分２１ａａから直交方向に所定距離離れ裏面２１から表面２２に貫通するように設けられた取付孔２０を有する拡大レンズ２と、筆記具挿入孔３０を有し、拡大レンズ２の取付孔２０の周縁に固定された弾性リング３と、を備えるものである。
【００１６】
拡大レンズ２は、大略薄肉平板状をなしており、かつ、裏面２１に直線状部分２１ａａを有していれば、他の部分の形状は特に限定されないが、通常は、裏面２１の形状と表面２２の形状が互いに対称に表れるものとなっている。図２に示したものは、裏面２１の外周２１ａ及び表面２２の外周２２ａが略長方形であり、裏面２１の外周２１ａの略長方形の一辺が直線状部分２１ａａとなっている。略長方形の角部は、アール形状となっている。このような略長方形の形状であると、他のカード（キャッシュカードなど）と同じくらいの大きさにすれば、カードケースで保管し易いものとなる。なお、拡大レンズ２は、その他の形状として、例えば、図３に示すように、裏面２１の外周２１ａについて直線状部分２１ａａより他を略半円状にしたものなどが可能である。
【００１７】
拡大レンズ２は、フレネルレンズ（通常は、プラスチック製）であることが好ましい。フレネルレンズのかわりに凸レンズを用いることも可能であるが、フレネルレンズは薄く、軽量なので、筆記具Ｐを取り付けたときに筆記具Ｐの動きを妨げることがほとんどないようにできる。なお、フレネルレンズは、複数の段差が同心円状のパターンを形成しており、それらの段差間の各領域が、滑らかに表面形状が変化し光を屈折させる光屈折領域となっているものである（図５参照）。
【００１８】
取付孔２０は、筆記具Ｐの外径より少し大きい内径とし、その中心から直線状部分２１ａａに垂線を下ろすことができる位置に有るものである。取付孔２０は、前述のように直線状部分２１ａａから所定距離離れているが、その距離は、図１に示すように、筆記具用ルーペ１を傾けて直線状部分２１ａを紙面Ｓに当接させたときに、筆記具Ｐを楽に持てるような距離に決められる。また、取付孔２０は、図２に示したもののように、直線状部分２１ａａの長さ方向の範囲の中央に有ればよいが、少なくとも、直線状部分２１ａａを紙面Ｓに当接させたときの安定度及び筆記をしている文字の左右の文字列の観察のし易さの点から、直線状部分２１ａａの長さ方向の範囲の中間、具体的には、直線状部分２１ａａの長さ方向の範囲を３分割したうちの中部分くらいに位置するようにするのが好ましい。
【００１９】
弾性リング３は、弾性力及び摩擦力により筆記具Ｐに筆記具用ルーペ１を保持させるものである。本実施形態の弾性リング３は、図４（ａ）に示すように、リング状のリング本体３ａから成るようにして、内方に拡大レンズ２の取付孔２０より小さい筆記具挿入孔３０が設けられたものである。弾性リング３は、筆記具挿入孔３０を取付孔２０と同心的に位置させて、拡大レンズ２の取付孔２０の周縁の表面２２に接着等により固定される。弾性リング３は、通常はゴム製（例えば、シリコンゴム製）である。なお、弾性リング３は、リング本体３ａが拡大レンズ２の裏面２１に固定されたものであってもよいし、或いは、２個のリング本体３ａ、３ａが表面２２と裏面２１の両方に固定されたものであってもよい。
【００２０】
弾性リング３は、図４（ｂ）に示すように、上記のリング本体３ａと同様なリング状の部分に取付孔挿入部分３ｂｂを連続して設けた段付きリング状のリング本体３ｂから成るようにしたり、図４（ｃ）に示すように、上記のリング本体３ａと同様なリング状の部分を表面２２側と裏面２１側に設け、それらの間に取付孔挿入部分３ｃｃを連続して設けた段付きリング状のリング本体３ｃから成るようにしたりしてもよい。
【００２１】
このような筆記具用ルーペ１は、拡大レンズ２が直線状部分２１ａａを有し、取付孔２０が直線状部分２１ａａから直交方向に所定距離離れて形成されているので、図１に示すように、筆記具Ｐを取り付けて筆記をするときに直線状部分２１ａａを紙面Ｓに安定して当接させることができる。また、筆先を浮かして移動するときは、直線状部分２１ａａを紙面Ｓに当接させながら又は少しだけ浮かして拡大レンズ２をずらすようにする。このようにすると、文字の筆記の際に、紙面Ｓから筆記具用ルーペ１までの位置が余り変化せず、筆記具用ルーペ１を通して観察される文字列の大きさが余り変化しないので、使用者の目の負担が少なくなり、また、筆記する文字の形も確認し易く奇麗に筆記することが可能になるのである。
【００２２】
この筆記具用ルーペ１は、老眼鏡に比べて携帯し易く使い勝手も良好であるため、非常に有用である。外出したときには、公共施設などで筆記が必要なときに携帯した自分の筆記具用ルーペ１を使用でき、たとえ老眼鏡が備え付けられてあっても、自分のものを使用することにより、度数や衛生上の点などを気にしなくても済む。
【００２３】
なお、拡大レンズ２を構成しているフレネルレンズの同心円状のパターンの中心Ｃは、図５（ａ）に示すように、取付孔２０の近傍、特に直線状部分２１ａａから取付孔２０への仮想線及びその延長線（図５（ａ）中で破線で示される）の範囲（同図におけるＡで示す範囲）に有るのが好ましい。これは、図５（ｂ）に示すように、フレネルレンズの同心円状のパターンの中心Ｃが取付孔２０から左右に大きくずれていると、筆記具Ｐ（図５（ｂ）中で破線で示される）の筆先が大きく屈折して観察され、筆記の際に違和感を覚え易くなるからである。
【００２４】
拡大レンズ２は、裏面２１の外周２１ａ及び／又は表面２２の外周２２ａに沿って度数に応じた着色がなされているようにすることもできる。このようにすると、度数によって異なる拡大レンズ２を製作した場合、それらを一目で区別できる。また、このかわりに、弾性リング３が度数に応じて着色がなされているようにすることもできる。
【００２５】
弾性リング３は、その弾性力により、リング本体３ａ（又は３ｂ、３ｃ）だけから成るものであっても、太さが多少異なる筆記具Ｐに筆記具用ルーペ１を取り付け可能にする。更に、太さがある程度小さい筆記具Ｐにも取り付け可能にするように、図６（ａ）又は（ｂ）に示すように、リング本体３ａ（又は３ｂ、３ｃ）から内側に延長された部分である内側延長部３ｄを有するようにすることもできる。内側延長部３ｄは、放射状に切れ込み３ｄａが複数設けられている。切れ込み３ｄａの端が筆記具挿入孔３０の端となる。図６（ａ）は、リング本体３ａ（又は３ｂ、３ｃ）の中心まで内側延長部３ｄが形成された例であり、図６（ｂ）は、その途中まで内側延長部３ｄが形成された例である。図６（ａ）又は（ｂ）に示すような弾性リング３を用いると、挿入された筆記具Ｐは内側延長部３ｄを押し拡げ、押し拡げられた内側延長部３ｄはその弾性力（弾性復元力）により筆記具Ｐを保持する。こうして、太さがある程度小さい筆記具Ｐにでも取り付け可能になる。なお、図７（ａ）、（ｂ）には、リング本体３ｃに内側延長部３ｄを設けたもので、それぞれ図６（ａ）、（ｂ）に対応するものの断面図を示している。リング本体３ｃに内側延長部３ｄを設けたものは、内側延長部３ｄの厚さを変えることができる範囲が広いため、内側延長部３ｄの弾性力を調整し易い。
【００２６】
また、弾性リング３は、図８（ａ）、（ｂ）、（ｃ）に示すように、リング本体３ａ（又は３ｂ、３ｃ）の筆記具挿入孔３０を傾斜させることも可能である。このようにすると、筆記具用ルーペ１に対する筆記具Ｐの傾斜角度を最も筆記し易いと考えられる角度にすることができる。例えば、より筆記し易くするために、筆記具を若干傾けて筆先が取付孔２０の左方になるようにしたい場合は、左方に向けて筆記具挿入孔３０を傾斜させたリング本体３ａ（又は３ｂ、３ｃ）を用いればよい。
【００２７】
また、２個のリング本体３ａが拡大レンズ２の裏面２１と表面２２の両方に有るものの場合は、筆記具挿入孔３０を傾斜させるかわりに、図９に示すように、両方のリング本体３ａ、３ａの中心を互いにずらし、それにより筆記具用ルーペ１に対して筆記具Ｐの角度を傾斜させることができる。例えば、上記のように筆先が取付孔２０の左方になるようにしたい場合は、裏面２１に固定したリング本体３ａの中心が表面２２に固定したリング本体３ａの中心よりも左方になるようにすればよい。なお、図９（ａ）における破線は裏面のリング本体３ａを示している。
【００２８】
以上、本発明の実施形態に係る筆記具用ルーペ１について説明したが、本発明は、上述の実施形態に記載したものに限られることなく、特許請求の範囲に記載した事項の範囲内でのさまざまな設計変更が可能である。
【符号の説明】
【００２９】
１    筆記具用ルーペ
２    拡大レンズ
２０  取付孔
２１  拡大レンズ２の裏面
２１ａ  拡大レンズ２の裏面２１の外周
２１ａａ  拡大レンズ２の直線状部分
２２  拡大レンズ２の表面
３    弾性リング
３０  筆記具挿入孔
３ａ，３ｂ，３ｃ  リング本体
３ｄ  内側延長部
３ｄａ  内側延長部３ｄの切れ込み
Ｐ    筆記具
Ｓ    紙面
Ｃ    フレネルレンズの同心円状のパターンの中心
【要約】
【課題】文字の筆記の際に、筆記具に取り付けた筆記具用ルーペを通して観察される文字列の大きさが余り変化しないようにすることが容易な筆記具用ルーペを提供する。
【解決手段】この筆記具用ルーペ１は、外周を形成する少なくとも一部が直線状をなし、その直線状部分２１ａａから直交方向に所定距離離れ裏面２１から表面２２に貫通するように設けられた取付孔を有する拡大レンズ２と、筆記具挿入孔を有し、拡大レンズ２の取付孔の周縁に固定された弾性リング３と、を備えてなる。
【選択図】図１【図１】
0004801216.tif 000002
【図２】
0004801216.tif 000003
【図３】
0004801216.tif 000004
【図４】
0004801216.tif 000005
【図５】
0004801216.tif 000006
【図６】
0004801216.tif 000007
【図７】
0004801216.tif 000008
【図８】
0004801216.tif 000009
【図９】
0004801216.tif 000010